(57)【特許請求の範囲】
【請求項１】
プライマリセルで設定された端末（ＵＥ）の測定報告のための方法であって、前記方法は、前記ＵＥにより実行され、前記方法は、
サービングセルおよび隣接セルのうちの前記ＵＥのサービングセルとしてセカンダリセルを追加することと、
前記セカンダリセルが複数の測定のうちの関連された測定に対して適用可能であるかを決定することであって、前記複数の測定は、サービングセルに適用可能な測定と、隣接セルに適用可能な測定とを含む、ことと、
前記セカンダリセルが誘発されたセルリストに含まれているかを決定することと、
測定報告に含まれている前記誘発されたセルリストを基地局に伝送することと
を含み、
前記セカンダリセルが前記関連された測定に対して適用可能でなく、前記セカンダリセルが前記誘発されたセルリストに含まれた場合、前記ＵＥは、前記セカンダリセルを前記誘発されたセルリストから除去する、方法。
【請求項２】
前記セカンダリセルが特定イベントを満たすと、前記ＵＥは、前記セカンダリセルを前記誘発されたセルリストに含める、請求項１に記載の方法。
【請求項３】
前記特定イベントは、隣接セルのチャネル状態がしきい値より良いイベントである、請求項２に記載の方法。
【請求項４】
前記誘発されたセルリストは、ＲＲＣ（ｒａｄｉｏ  ｒｅｓｏｕｒｃｅ  ｃｏｎｔｒｏｌ）メッセージを介して伝送される、請求項１に記載の方法。
【請求項５】
前記誘発されたセルリストは、セルの物理的セルＩＤを含む、請求項１に記載の方法。
【請求項６】
前記プライマリセルは、前記ＵＥが最初連結確立過程または連結再確立過程を実行するセルである、請求項１に記載の方法。
【請求項７】
前記セカンダリセルは、前記プライマリセル以外に、追加的な無線資源を提供するために使用されるセルである、請求項６に記載の方法。
【請求項８】
プライマリセルで設定された端末（ＵＥ）であって、前記ＵＥは、
無線信号を送受信するＲＦ（ｒａｄｉｏ  ｆｒｅｑｕｅｎｃｙ）部と、
前記ＲＦ部と連結されたプロセッサと
を備え、
前記プロセッサは、
サービングセルおよび隣接セルのうちの前記ＵＥのサービングセルとしてセカンダリセルを追加することと、
前記セカンダリセルが複数の測定のうちの関連された測定に対して適用可能であるかを決定することであって、前記複数の測定は、サービングセルに適用可能な測定と、隣接セルに適用可能な測定とを含む、ことと、
前記セカンダリセルが誘発されたセルリストに含まれているかを決定することと、
測定報告に含まれている前記誘発されたセルリストを基地局に伝送することと
を実行するように構成され、
前記セカンダリセルが前記関連された測定に対して適用可能でなく、前記セカンダリセルが前記誘発されたセルリストに含まれた場合、前記ＵＥは、前記セカンダリセルを前記誘発されたセルリストから除去する、ＵＥ。
【請求項９】
前記セカンダリセルが特定イベントを満たすと、前記ＵＥは、前記セカンダリセルを前記誘発されたセルリストに含める、請求項８に記載のＵＥ。
【請求項１０】
前記特定イベントは、隣接セルのチャネル状態がしきい値より良いイベントである、請求項９に記載のＵＥ。
【請求項１１】
前記誘発されたセルリストは、ＲＲＣ（ｒａｄｉｏ  ｒｅｓｏｕｒｃｅ  ｃｏｎｔｒｏｌ）メッセージを介して伝送される、請求項８に記載のＵＥ。
【請求項１２】
前記誘発されたセルリストは、セルの物理的セルＩＤを含む、請求項８に記載のＵＥ。
【請求項１３】
前記プライマリセルは、前記ＵＥが最初連結確立過程または連結再確立過程を実行するセルである、請求項８に記載のＵＥ。
【請求項１４】
前記セカンダリセルは、前記プライマリセル以外に、追加的な無線資源を提供するために使用されるセルである、請求項１３に記載のＵＥ。
【発明の詳細な説明】
【技術分野】
【０００１】
本発明は、移動通信システムにおける端末の測定報告実行方法及びこのための端末装置に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進めている。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）伝送方式基盤であるＬＴＥ（Ｌｏｎｇ  Ｔｅｒｍ  Ｅｖｏｌｕｔｉｏｎ）を改善したＬＴＥ−Ａｄｖａｎｃｅｄ（以下、ＬＴＥ−Ａ）を用意している。ＬＴＥ−Ａは、ＩＭＴ−Ａｄｖａｎｃｅｄのための有力な候補のうちの１つである。
【０００４】
ＬＴＥ−Ａで使用される候補技術の中には搬送波集成（ｃａｒｒｉｅｒ  ａｇｇｒｅｇａｔｉｏｎ：ＣＡ）がある。搬送波集成は、狭帯域を有する複数個の構成搬送波（ｃｏｍｐｏｎｅｎｔ  ｃａｒｒｉｅｒ：ＣＣ）を集成して広帯域を構成できる技術である。構成搬送波には、下向きリンク構成搬送波と上向きリンク構成搬送波とがある。セル（ｃｅｌｌ）は、下向きリンク構成搬送波及び上向きリンク構成搬送波のペア、または下向きリンク構成搬送波として定義することができるが、この場合、搬送波集成は、複数のセルを集成することと理解することもできる。
【０００５】
搬送波集成では、端末が基地局と最初連結過程／再連結過程を確立するプライマリセル（ｐｒｉｍａｒｙ  ｃｅｌｌ）と前記プライマリセル以外に、追加されるセカンダリセル（ｓｅｃｏｎｄａｒｙ  ｃｅｌｌ）とがある。
【０００６】
一方、移動通信システムにおいて端末の移動性（ｍｏｂｉｌｉｔｙ）支援は必須である。このために、端末は、現在サービスを提供するサービングセル（ｓｅｒｖｉｎｇ  ｃｅｌｌ）に対する品質及び隣接セル（Ｎｅｉｇｈｂｏｒｉｎｇ  Ｃｅｌｌ）に対する品質を持続的に測定する。端末は、測定結果を適宜の時間にネットワークに報告し、ネットワークは、ハンドオーバーなどを介して端末に最適の移動性を提供する。
【０００７】
端末は、イベントによって誘発される方式で測定結果を報告することができる。すなわち、特定イベントが発生すれば、測定結果を報告することである。このとき、各イベントは、あるセルを対象とするかが予め決まっている。例えば、イベント中には、サービングセル、隣接セル、プライマリセル、セカンダリセルの各々を対象とするか、これらの組み合わせを対象とすることなどがある。セカンダリセルは、基本的にサービングセルとして取り扱われるが、特定イベントでは、隣接セルとして取り扱われることもある。
【０００８】
隣接セルが特定イベントを満たすと、端末は、前記隣接セルを「ｃｅｌｌｓＴｒｉｇｇｅｒｅｄＬｉｓｔ」に含む。現在標準規格は、「ｃｅｌｌｓＴｒｉｇｇｅｒｅｄＬｉｓｔ」が空いていない限り、「ｍｅａｓＲｅｓｕｌｔＮｅｉｇｈＣｅｌｌｓ」に含んで伝送し、「ｃｅｌｌｓＴｒｉｇｇｅｒｅｄＬｉｓｔ」が空いていると、「ｍｅａｓＲｅｓｕｌｔＮｅｉｇｈＣｅｌｌｓ」に含まずに除外することと規定している。
【０００９】
基地局は、「ｍｅａｓＲｅｓｕｌｔＮｅｉｇｈＣｅｌｌｓ」を含む測定報告を利用して前記端末に前記隣接セルをセカンダリセルとして追加することができる。この場合、前記隣接セルは、基本的にサービングセルとして取り扱わなければならない。
【００１０】
ところが、現在標準では、隣接セルがセカンダリセルとして追加される場合に、「ｃｅｌｌｓＴｒｉｇｇｅｒｅｄＬｉｓｔ」の変更については規定していない。したがって、前記隣接セルが続けて「ｃｅｌｌｓＴｒｉｇｇｅｒｅｄＬｉｓｔ」に残っているようになり、その結果、「ｍｅａｓＲｅｓｕｌｔＮｅｉｇｈＣｅｌｌｓ」に含まれて伝送されるようになる。
【００１１】
これは、端末の不要な測定報告の伝送を引き起こしてバッテリの消費を招く。また、「ｍｅａｓＲｅｓｕｌｔＮｅｉｇｈＣｅｌｌｓ」に基づいて基地局が資源管理をする場合、曖昧性が発生できる。
【発明の概要】
【発明が解決しようとする課題】
【００１２】
本発明では、搬送波集成を支援する端末にセカンダリセルが追加される場合、測定報告を行う方法及びこのための装置を提供しようとする。
【課題を解決するための手段】
【００１３】
一側面において、プライマリセルが設定された端末の測定報告方法が提供される。前記方法は、セカンダリセルを追加するステップと、前記セカンダリセルが関連された測定に対して適用可能であるか決定するステップと、前記セカンダリセルが誘発されたセルリスト（ｃｅｌｌｓＴｒｉｇｇｅｒｅｄＬｉｓｔ）に含まれているか否かを決定するステップとを含み、前記セカンダリセルが前記関連された測定に対して適用可能でなく、前記セカンダリセルが前記誘発されたセルリストに含まれた場合、前記セカンダリセルを前記誘発されたセルリストから除去する（ｒｅｍｏｖｅ）ことを特徴とする。
【００１４】
前記セカンダリセルが特定イベントを満たすと、前記セカンダリセルを前記誘発されたセルリストに含むステップをさらに含むことができる。
【００１５】
前記特定イベントは、隣接セルがしきい値より良いチャネル状態を表すイベントでありうる。
【００１６】
前記誘発されたセルリストは、ＲＲＣ（ｒａｄｉｏ  ｒｅｓｏｕｒｃｅ  ｃｏｎｔｒｏｌ）メッセージを介して伝送されることができる。
【００１７】
前記誘発されたセルリストは、セルの物理的セルＩＤ（ｉｄｅｎｔｉｔｙ）を含むことができる。
【００１８】
前記プライマリセルは、前記端末が最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程（ｃｏｎｎｅｃｔｉｏｎ  ｒｅ−ｅｓｔａｂｌｉｓｈｍｅｎｔ  ｐｒｏｃｅｄｕｒｅ）を始めるセルでありうる。
【００１９】
前記セカンダリセルは、前記プライマリセル以外に、追加的な無線資源を提供するために使用されるセルでありうる。
【００２０】
他の側面において、プライマリセルが設定された端末は、無線信号を送受信するＲＦ（ｒａｄｉｏ  ｆｒｅｑｕｅｎｃｙ）部と、前記ＲＦ部と連結されたプロセッサとを備え、前記プロセッサは、セカンダリセルを追加し、前記セカンダリセルが関連された測定に対して適用可能であるか決定し、前記セカンダリセルが誘発されたセルリスト（ｃｅｌｌｓＴｒｉｇｇｅｒｅｄＬｉｓｔ）に含まれているか否かを決定し、前記セカンダリセルが前記関連された測定に対して適用可能でなく、前記セカンダリセルが前記誘発されたセルリストに含まれた場合、前記セカンダリセルを前記誘発されたセルリストから除去する（ｒｅｍｏｖｅ）ことを特徴とする。
本明細書は、例えば、以下の項目も提供する。
（項目１）
プライマリセルが設定された端末の測定報告方法において、
セカンダリセルを追加するステップと、
前記セカンダリセルが関連された測定に対して適用可能であるか決定するステップと、
前記セカンダリセルが誘発されたセルリスト（ｃｅｌｌｓＴｒｉｇｇｅｒｅｄＬｉｓｔ）に含まれているか否かを決定するステップと、
を含み、
前記セカンダリセルが前記関連された測定に対して適用可能でなく、前記セカンダリセルが前記誘発されたセルリストに含まれた場合、前記セカンダリセルを前記誘発されたセルリストから除去する（ｒｅｍｏｖｅ）ことを特徴とする方法。
（項目２）
前記セカンダリセルが特定イベントを満たすと、前記セカンダリセルを前記誘発されたセルリストに含むステップをさらに含むことを特徴とする項目１に記載の方法。
（項目３）
前記特定イベントは、隣接セルがしきい値より良いチャネル状態を表すイベントであることを特徴とする項目２に記載の方法。
（項目４）
前記誘発されたセルリストは、ＲＲＣ（ｒａｄｉｏ  ｒｅｓｏｕｒｃｅ  ｃｏｎｔｒｏｌ）メッセージを介して伝送されることを特徴とする項目１に記載の方法。
（項目５）
前記誘発されたセルリストは、セルの物理的セルＩＤ（ｉｄｅｎｔｉｔｙ）を含むことを特徴とする項目１に記載の方法。
（項目６）
前記プライマリセルは、前記端末が最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程（ｃｏｎｎｅｃｔｉｏｎ  ｒｅ−ｅｓｔａｂｌｉｓｈｍｅｎｔ  ｐｒｏｃｅｄｕｒｅ）を始めるセルであることを特徴とする項目１に記載の方法。
（項目７）
前記セカンダリセルは、前記プライマリセル以外に、追加的な無線資源を提供するために使用されるセルであることを特徴とする項目６に記載の方法。
（項目８）
プライマリセルが設定された端末において、
無線信号を送受信するＲＦ（ｒａｄｉｏ  ｆｒｅｑｕｅｎｃｙ）部と、
前記ＲＦ部と連結されたプロセッサと、
を備え、
前記プロセッサは、
セカンダリセルを追加し、前記セカンダリセルが関連された測定に対して適用可能であるか決定し、前記セカンダリセルが誘発されたセルリスト（ｃｅｌｌｓＴｒｉｇｇｅｒｅｄＬｉｓｔ）に含まれているか否かを決定し、
前記セカンダリセルが前記関連された測定に対して適用可能でなく、前記セカンダリセルが前記誘発されたセルリストに含まれた場合、前記セカンダリセルを前記誘発されたセルリストから除去する（ｒｅｍｏｖｅ）ことを特徴とする端末。
（項目９）
前記プロセッサは、前記セカンダリセルが特定イベントを満たすと、前記セカンダリセルを前記誘発されたセルリストに含むことを特徴とする項目８に記載の端末。
（項目１０）
前記特定イベントは、隣接セルがしきい値より良いチャネル状態を表すイベントであることを特徴とする項目９に記載の端末。
（項目１１）
前記誘発されたセルリストは、ＲＲＣ（ｒａｄｉｏ  ｒｅｓｏｕｒｃｅ  ｃｏｎｔｒｏｌ）メッセージを介して伝送されることを特徴とする項目８に記載の端末。
（項目１２）
前記誘発されたセルリストは、セルの物理的セルＩＤ（ｉｄｅｎｔｉｔｙ）を含むことを特徴とする項目８に記載の端末。
（項目１３）
前記プライマリセルは、前記端末が最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程（ｃｏｎｎｅｃｔｉｏｎ  ｒｅ−ｅｓｔａｂｌｉｓｈｍｅｎｔ  ｐｒｏｃｅｄｕｒｅ）を始めるセルであることを特徴とする項目８に記載の端末。
（項目１４）
前記セカンダリセルは、前記プライマリセル以外に、追加的な無線資源を提供するために使用されるセルであることを特徴とする項目１３に記載の端末。
【発明の効果】
【００２１】
端末の不要な測定報告の伝送を減らすことができ、端末の電力消費を減らすことができる。また、基地局と端末との間に資源管理側面での曖昧性を減らすことができる。
【図面の簡単な説明】
【００２２】
【図１】図１は、移動通信システムの一例であるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の網構造を示した図である。
【図２】図２と図３は、３ＧＰＰ無線接続網規格に基づいた端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の構造を示す。
【図３】図２と図３は、３ＧＰＰ無線接続網規格に基づいた端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の構造を示す。
【図４】図４は、無線リンク失敗（ｒａｄｉｏ  ｌｉｎｋ  ｆａｉｌｕｒｅ）と関連した動作を説明するための図である。
【図５】図５及び図６は、ＲＲＣ  ｃｏｎｎｅｃｔｉｏｎ  ｒｅ−ｅｓｔａｂｌｉｓｈｍｅｎｔ手順が成功する場合と失敗する場合とを示している。
【図６】図５及び図６は、ＲＲＣ  ｃｏｎｎｅｃｔｉｏｎ  ｒｅ−ｅｓｔａｂｌｉｓｈｍｅｎｔ手順が成功する場合と失敗する場合とを示している。
【図７】図７は、３ＧＰＰ  ＬＴＥシステムにおいて端末が測定を行ってネットワークに報告する手順を説明するための図である。
【図８】図８は、端末に設定された測定設定の一例を示す。
【図９】図９は、測定識別子を削除する例を示す。
【図１０】図１０は、測定対象を削除する例を示す。
【図１１】図１１は、上述した測定動作をまとめて説明するための図である。
【図１２】図１２は、３ＧＰＰ  ＬＴＥ−Ａシステムに適用される搬送波集成技術について説明するための図である。
【図１３】図１３は、搬送波集成技術が適用される場合、端末の立場でセルに対する定義を説明するための図である。
【図１４】図１４は、セカンダリセルが「ｍｅａｓＲｅｓｕｌｔＮｅｉｇｈＣｅｌｌｓ」に含まれる場合を例示する。
【図１５】図１５は、搬送波集成を支援する端末の動作方法である。
【図１６】図１６は、図１５のＳ１６０１〜Ｓ１６０３ステップを説明する。
【図１７】図１７は、本発明に係る端末装置及び基地局装置を含む無線通信システムの実施形態の構成を示した図である。
【発明を実施するための形態】
【００２３】
以下の説明は、無線通信システムの一例として３ＧＰＰ  ＬＴＥ／ＬＴＥ−Ａ基盤システムを仮定して説明するが、ＩＥＥＥ８０２．１６基盤システム等、搬送波集成技術が適用され得る種々の無線通信システムにおいて様々に応用されることができる。本明細書の全体において同じ構成要素に対しては、同じ図面符号を使用して説明する。
【００２４】
以下の説明において、「測定」は、端末がネットワークから受信した測定設定によってｉｎｔｅｒ−ｆｒｅｑｕｅｎｃｙ、ｉｎｔｒａ−ｆｒｅｑｕｅｎｃｙ、及びｉｎｔｅｒ−ＲＡＴ（ｒａｄｉｏ  ａｃｃｅｓｓ  ｔｅｃｈｎｏｌｏｇｙ）に位置するセルから受信された参照信号（ｒｅｆｅｒｅｎｃｅ  ｓｉｇｎａｌ）を受信して、当該セルの品質値を測定することと規定されることができる。また、以下の説明において、「品質」は、測定対象セルから受信された参照信号を介して把握される信号品質またはセル品質を表すことを意味する。
【００２５】
本発明を適用するための無線通信／移動通信システムの一例として、３ＧＰＰ  ＬＴＥシステムについて簡略に説明する。
【００２６】
図１は、移動通信システムの一例であるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の網構造を示した図である。Ｅ−ＵＴＲＡＮシステムは、既存のＵＴＲＡＮシステムから進化したシステムであって、現在３ＧＰＰで基礎的な標準化作業を進んでいる。Ｅ−ＵＴＲＡＮシステムは、ＬＴＥ（Ｌｏｎｇ  Ｔｅｒｍ  Ｅｖｏｌｕｔｉｏｎ）システムとも呼ばれる。
【００２７】
Ｅ−ＵＴＲＡＮは、ｅＮＢ（ｅ−ＮｏｄｅＢ；または基地局）等で構成され、ｅＮＢ間にはＸ２インターフェースを介して連結される。ｅＮＢは、無線インターフェースを介してＵＥ（Ｕｓｅｒ  Ｅｑｕｉｐｍｅｎｔ；以下、端末と略称）と連結され、Ｓ１インターフェースを介してＥＰＣ（Ｅｖｏｌｖｅｄ  Ｐａｃｋｅｔ  Ｃｏｒｅ）に連結される。
【００２８】
ＥＰＣは、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）、及びＰＤＮ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は、端末の移動性管理に主に使用される。Ｓ−ＧＷは、Ｅ−ＵＴＲＡＮを終端点として有するゲートウェイであり、ＰＤＮ−ＧＷは、ＰＤＮを終端点として有するゲートウェイである。
【００２９】
端末と網との間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができるが、このうち、第１の階層に属する物理階層は、物理チャネル（Ｐｈｙｓｉｃａｌ  Ｃｈａｎｎｅｌ）を利用した情報伝送サービス（Ｉｎｆｏｒｍａｔｉｏｎ  Ｔｒａｎｓｆｅｒ  Ｓｅｒｖｉｃｅ）を提供し、第３の階層に位置する無線資源制御（Ｒａｄｉｏ  Ｒｅｓｏｕｒｃｅ  Ｃｏｎｔｒｏｌ；以下、ＲＲＣと略称する）階層は、端末と網との間の無線資源を制御する役割を果たす。そのために、ＲＲＣ階層は、端末と基地局との間のＲＲＣメッセージを交換する。
【００３０】
図２と図３は、３ＧＰＰ無線接続網規格に基づいた端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の構造を示す。
【００３１】
無線インターフェースプロトコルは、水平的に物理階層（Ｐｈｙｓｉｃａｌ  Ｌａｙｅｒ）、データリンク階層（Ｄａｔａ  Ｌｉｎｋ  Ｌａｙｅｒ）、及びネットワーク階層（Ｎｅｔｗｏｒｋ  Ｌａｙｅｒ）からなり、垂直的には、データ情報伝送のためのユーザ平面（Ｕｓｅｒ  Ｐｌａｎｅ、Ｕ−ｐｌａｎｅ）と制御信号（Ｓｉｇｎａｌｉｎｇ）伝達のための制御平面（Ｃｏｎｔｒｏｌ  Ｐｌａｎｅ、Ｃ−ｐｌａｎｅ）とに区分される。図２と図３のプロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができる。このような無線プロトコル階層は、端末とＥ−ＵＴＲＡＮにペア（ｐａｉｒ）として存在し、無線区間のデータ伝送を担当する。
【００３２】
以下において、前記図２の無線プロトコル制御平面と図３の無線プロトコルユーザ平面の各階層を説明する。
【００３３】
第１の階層である物理階層は、物理チャネル（Ｐｈｙｓｉｃａｌ  Ｃｈａｎｎｅｌ）を用いて上位階層に情報伝送サービス（Ｉｎｆｏｒｍａｔｉｏｎ  Ｔｒａｎｓｆｅｒ  Ｓｅｒｖｉｃｅ）を提供する。物理階層は、上位にある媒体接続制御（Ｍｅｄｉｕｍ  Ａｃｃｅｓｓ  Ｃｏｎｔｒｏｌ）階層とは伝送チャネル（Ｔｒａｎｓｐｏｒｔ  Ｃｈａｎｎｅｌ）を介して連結されており、この伝送チャネルを介して媒体接続制御階層と物理階層との間のデータが移動する。そして、互いに異なる物理階層間、すなわち、送信側と受信側の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され、時間と周波数を無線資源として活用する。
【００３４】
第２の階層の媒体接続制御（Ｍｅｄｉｕｍ  Ａｃｃｅｓｓ  Ｃｏｎｔｒｏｌ；以下、ＭＡＣと略称）は、論理チャネル（Ｌｏｇｉｃａｌ  Ｃｈａｎｎｅｌ）を介して上位階層である無線リンク制御（Ｒａｄｉｏ  Ｌｉｎｋ  Ｃｏｎｔｒｏｌ）階層にサービスを提供する。第２の階層の無線リンク制御（Ｒａｄｉｏ  Ｌｉｎｋ  Ｃｏｎｔｒｏｌ；以下、ＲＬＣと略称）階層は、信頼性のあるデータの伝送を支援する。ＲＬＣ階層の機能がＭＡＣ内部の機能ブロックとして実現されることもできる。このような場合には、ＲＬＣ階層は存在しないこともある。第２の階層のＰＤＣＰ階層は、ＩＰｖ４やＩＰｖ６のようなＩＰパケット伝送の際に、帯域幅の小さい無線区間で効率的に伝送するために、相対的にサイズが大きく、不要な制御情報を含んでいるＩＰパケットヘッダサイズを減らすヘッダ圧縮（Ｈｅａｄｅｒ  Ｃｏｍｐｒｅｓｓｉｏｎ）機能を果たす。
【００３５】
第３の階層の最も上部に位置した無線資源制御（Ｒａｄｉｏ  Ｒｅｓｏｕｒｃｅ  Ｃｏｎｔｒｏｌ；以下、ＲＲＣと略称する）階層は、制御平面でのみ定義され、無線ベアラ（Ｒａｄｉｏ  Ｂｅａｒｅｒ；ＲＢと略称する）等の設定（Ｃｏｎｆｉｇｕｒａｔｉｏｎ）、再設定（Ｒｅ−ｃｏｎｆｉｇｕｒａｔｉｏｎ）、及び解除（Ｒｅｌｅａｓｅ）と関連して論理チャネル、伝送チャネル、及び物理チャネルの制御を担当する。このとき、ＲＢは、端末とＵＴＲＡＮとの間のデータ伝達のために、第２の階層により提供されるサービスを意味する。端末のＲＲＣと無線網のＲＲＣ階層との間にＲＲＣ連結（ＲＲＣ  Ｃｏｎｎｅｃｔｉｏｎ）がある場合、端末は、ＲＲＣ連結状態（ＲＲＣ＿ＣＯＮＮＥＣＴＥＤ）にあるようになり、そうでない場合、ＲＲＣ休止状態（ＲＲＣ＿ＩＤＬＥ）にあるようになる。
【００３６】
網（ｎｅｔｗｏｒｋ）から端末にデータを伝送する下向き伝送チャネルには、システム情報を伝送するＢＣＨ（Ｂｒｏａｄｃａｓｔ  Ｃｈａｎｎｅｌ）と、それ以外に、ユーザトラフィックや制御メッセージを伝送する下向きＳＣＨ（Ｓｈａｒｅｄ  Ｃｈａｎｎｅｌ）とがある。下向きマルチキャスト、または放送サービスのトラフィック、若しくは制御メッセージの場合、下向きＳＣＨを介して伝送されることができ、或いは、別の下向きＭＣＨ（Ｍｕｌｔｉｃａｓｔ  Ｃｈａｎｎｅｌ）を介して伝送されることもできる。一方、端末から網にデータを伝送する上向き伝送チャネルには、初期制御メッセージを伝送するＲＡＣＨ（Ｒａｎｄｏｍ  Ａｃｃｅｓｓ  Ｃｈａｎｎｅｌ）と、それ以外に、ユーザトラフィックや制御メッセージを伝送する上向きＳＣＨ（Ｓｈａｒｅｄ  Ｃｈａｎｎｅｌ）とがある。
【００３７】
伝送チャネル上位にあり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３８】
物理チャネル（Ｐｈｙｓｉｃａｌ  Ｃｈａｎｎｅｌ）は、時間軸上にある複数個のサブフレームと、周波数軸上にある複数個のサブキャリア（Ｓｕｂ−ｃａｒｒｉｅｒ）とで構成される。ここで、１つのサブフレーム（Ｓｕｂ−ｆｒａｍｅ）は、時間軸上に複数のシンボル（Ｓｙｍｂｏｌ）で構成される。１つのサブフレームは、複数の資源ブロック（Ｒｅｓｏｕｒｃｅ  Ｂｌｏｃｋ）で構成され、１つの資源ブロックは、複数のシンボルと複数のサブキャリアとで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために、当該サブフレームの特定シンボル（例えば、１番目のシンボル）の特定サブキャリアを用いることができる。１つのサブフレームは、０．５ｍｓの長さを有する２個のスロットで構成されることができ、これは、データが伝送される単位時間であるＴＴＩ（Ｔｒａｎｓｍｉｓｓｉｏｎ  Ｔｉｍｅ  Ｉｎｔｅｒｖａｌ）に対応する１ｍｓに対応することができる。
【００３９】
次は、ＬＴＥシステムにおけるシステム情報について説明する。システム情報は、端末が基地局に接続するために知るべきである必須情報を含む。したがって、端末は、基地局に接続する前にシステム情報を全て受信していなければならず、また、常に最新のシステム情報を有していなければならない。そして、前記システム情報は、１つのセル内の全ての端末が知るべきである情報であるから、基地局は、周期的に前記システム情報を伝送する。
【００４０】
前記システム情報は、ＭＩＢ、ＳＢ、ＳＩＢ等に分けられる。ＭＩＢ（Ｍａｓｔｅｒ  Ｉｎｆｏｒｍａｔｉｏｎ  Ｂｌｏｃｋ）は、端末が当該セルの物理的構成、例えば、帯域幅のようなことを知ることができるようにする。ＳＢ（Ｓｃｈｅｄｕｌｉｎｇ  Ｂｌｏｃｋ）は、ＳＩＢ等の伝送情報、例えば、伝送周期などを知らせる。ＳＩＢ（Ｓｙｓｔｅｍ  Ｉｎｆｏｒｍａｔｉｏｎ  Ｂｌｏｃｋ）は、互いに関連のあるシステム情報の集合体である。例えば、あるＳＩＢは、周辺のセルの情報のみを含み、あるＳＩＢは、端末が使用する上向き無線チャネルの情報のみを含む。
【００４１】
一方、ネットワークが端末に提供するサービスは、３つのタイプに区分することができる。あるサービスの提供を受けられるかによって、端末は、セルのタイプも異なるように認識する。下記において、まずサービスタイプを叙述し、次いで、セルのタイプを叙述する。
【００４２】
１）制限的サービス（Ｌｉｍｉｔｅｄ  ｓｅｒｖｉｃｅ）：このサービスは、緊急呼び出し（Ｅｍｅｒｇｅｎｃｙ  ｃａｌｌ）及びＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）を提供し、受容可能なセル（ａｃｃｅｐｔａｂｌｅ  ｃｅｌｌ）で提供することができる。
【００４３】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｃｅｌｌ）で提供することができる。
【００４４】
３）事業者サービス（Ｏｐｅｒａｔｏｒ  ｓｅｒｖｉｃｅ）：このサービスは、通信網事業者のためのサービスを意味し、このセルは、通信網事業者のみ使用することができ、一般のユーザは使用することができない。
【００４５】
セルが提供するサービスタイプと関連して、セルのタイプは、下記のように区分されることができる。
【００４６】
１）受容可能なセル（Ａｃｃｅｐｔａｂｌｅ  ｃｅｌｌ）：端末が制限された（Ｌｉｍｉｔｅｄ）サービスの提供を受けられるセル。このセルは、当該端末の立場で、禁止（ｂａｒｒｅｄ）されておらず、端末のセル選択基準を満たすセルである。
【００４７】
２）正規セル（Ｓｕｉｔａｂｌｅ  ｃｅｌｌ：端末が正規（Ｎｏｒｍａｌ）サービスの提供を受けられるセル。このセルは、受容可能な（ａｃｃｅｐｔａｂｌｅ）セルの条件を満たし、同時に追加条件を満たす。追加的な条件として、このセルは、当該端末が接続できるＰＬＭＮ所属でなければならず、端末のトラッキング領域（Ｔｒａｃｋｉｎｇ  Ａｒｅａ）更新手順の実行が禁止されていないセルでなければならない。当該セルがＣＳＧセルであれば、端末は、このセルにＣＳＧメンバとして接続可能なセルでなければならない。
【００４８】
３）禁止されたセル（Ｂａｒｒｅｄ  ｃｅｌｌ）：セルがシステム情報を介して禁止されたセル（Ｂａｒｒｅｄ  ｃｅｌｌ）であるという情報を放送するセルである。
【００４９】
４）予約されたセル（Ｒｅｓｅｒｖｅｄ  ｃｅｌｌ）：セルがシステム情報を介して予約されたセル（Ｒｅｓｅｒｖｅｄ  ｃｅｌｌ）であるという情報を放送するセルである。
【００５０】
以下、端末のＲＲＣ状態（ＲＲＣ  ｓｔａｔｅ）とＲＲＣ接続方法に対して詳述する。ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続されている場合はＲＲＣ接続状態といい、接続されていない場合はＲＲＣアイドル状態という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することはできず、セルより大きい地域単位であるトラッキング領域（Ｔｒａｃｋｉｎｇ  Ａｒｅａ）単位にＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００５１】
ユーザが端末の電源を最初にオンした時、端末は、まず、適切なセルを探索した後、該当セルでＲＲＣアイドル状態にキャンプオンする。ＲＲＣアイドル状態の端末は、ＲＲＣ接続を確立する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態にあった端末がＲＲＣ接続を確立する必要がある場合は多様であり、例えば、ユーザの通話試みなどの理由でアップリンクデータ送信が必要な場合、またはＥ−ＵＴＲＡＮからページング（ｐａｇｉｎｇ）メッセージを受信した場合、これに対する応答メッセージ送信などを挙げることができる。
【００５２】
ＲＲＣ階層の上位に位置するＮＡＳ（Ｎｏｎ−Ａｃｃｅｓｓ  Ｓｔｒａｔｕｍ）階層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００５３】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態になる。
【００５４】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なくセル選択（ｃｅｌｌ  ｓｅｌｅｃｔｉｏｎ）またはセル再選択（ｒｅｓｅｌｅｃｔｉｏｎ）のような端末基盤の移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態における端末の位置が、ネットワークが知っている位置と異なる場合、端末は、トラッキング領域更新（Ｔｒａｃｋｉｎｇ  Ａｒｅａ  Ｕｐｄａｔｅ）手順を介してネットワークに端末の該当位置を知らせる。
【００５５】
図４は、３ＧＰＰ  ＬＴＥシステムにおいて無線リンク失敗手順を例示する。
【００５６】
端末は、自分がサービスを受けるセルとの通信リンク品質を維持するために、持続的に測定を行う。特に、端末は、現在サービスを受け、提供するセルとの通信リンク品質が通信不可能な状況であるか否かを判断する。もし、現在セルの品質が通信不可能なほど悪い場合であると判断すれば、端末は、無線リンク失敗（ｒａｄｉｏ  ｌｉｎｋ  ｆａｉｌｕｒｅ）を宣言する。端末が無線リンク失敗（ｒａｄｉｏ  ｌｉｎｋ  ｆａｉｌｕｒｅ）を宣言すれば、端末は、このセルとの通信を維持することを放棄し、セル選択手順を介してセルを選択した後、ＲＲＣ連結再設定を試みる。このように、無線リンク失敗（ｒａｄｉｏ  ｌｉｎｋ  ｆａｉｌｕｒｅ）と関連した動作は、図４に示されたように、２つの段階として説明されることができる。
【００５７】
１番目の段階で端末は、現在通信リンクに問題があるかを検査する。もし、問題がある場合、端末は、無線リンク問題（ｒａｄｉｏ  ｌｉｎｋ  ｐｒｏｂｌｅｍ）を宣言し、一定時間（Ｔ１）の間、この通信リンクが回復されるかを待つ。もし、この時間の間、当該リンクが回復されれば、端末は、正常動作（ｎｏｒｍａｌ  ｏｐｅｒａｔｉｏｎ）を続ける。もし、１番目の段階で無線リンク問題（ｒａｄｉｏ  ｌｉｎｋ  ｐｒｏｂｌｅｍ）がＴ１の間、回復されなければ、端末は、無線リンク失敗（ｒａｄｉｏ  ｌｉｎｋ  ｆａｉｌｕｒｅ）を宣言し、２番目の段階に突入する。２番目の段階で端末は、無線リンク失敗（ｒａｄｉｏ  ｌｉｎｋ  ｆａｉｌｕｒｅ）から回復するために、ＲＲＣ  ｃｏｎｎｅｃｔｉｏｎ  ｒｅ−ｅｓｔａｂｌｉｓｈｍｅｎｔ手順を行う。
【００５８】
ＲＲＣ  ｃｏｎｎｅｃｔｉｏｎ  ｒｅ−ｅｓｔａｂｌｉｓｈｍｅｎｔ手順は、ＲＲＣ＿ＣＯＮＮＥＣＴＥＤ状態で、再度ＲＲＣ連結を再設定する手順である。端末がＲＲＣ＿ＣＯＮＮＥＣＴＥＤ状態に留まったままで残るため、すなわち、ＲＲＣ＿ＩＤＬＥ状態に進入しないため、端末は、自分の無線設定（例えば、無線ベアラ設定）等を全て初期化しない。その代わりに、端末は、ＲＲＣ連結再設定手順を始めるとき、ＳＲＢ０を除外した全ての無線ベアラ等の使用を一時的に中断（ｓｕｓｐｅｎｄ）する。もし、ＲＲＣ連結再設定が成功するようになると、端末は、一時的に使用を中断した無線ベアラ等の使用を再開（ｒｅｓｕｍｅ）する。
【００５９】
図５及び図６は、ＲＲＣ  ｃｏｎｎｅｃｔｉｏｎ  ｒｅ−ｅｓｔａｂｌｉｓｈｍｅｎｔ手順が成功する場合と失敗する場合とを示している。
【００６０】
図５及び図６を参照して、ＲＲＣ  ｃｏｎｎｅｃｔｉｏｎ  ｒｅ−ｅｓｔａｂｌｉｓｈｍｅｎｔ手順において端末の動作を説明すれば、まず、端末は、セル選択（Ｃｅｌｌ  ｓｅｌｅｃｔｉｏｎ）を行って１個のセルを選択する。選択したセルで端末は、セル接続のための基本パラメータを受信するためにシステム情報を受信する。次いで、端末は、ランダムアクセス（ｒａｎｄｏｍ  ａｃｃｅｓｓ）手順を介してＲＲＣ連結再設定を試みる。セル選択を介して端末が選択したセルが端末のコンテキスト（ｃｏｎｔｅｘｔ）を有しているセル、すなわち準備セル（ｐｒｅｐａｒｅｄ  ｃｅｌｌ）である場合に、当該セルは、端末のＲＲＣ連結再設定要請を受諾することができ、したがって、ＲＲＣ連結再設定手順は成功することができる。しかし、もし、端末が選択したセルが準備セル（ｐｒｅｐａｒｅｄ  ｃｅｌｌ）でない場合には、当該セルは、端末のコンテキスト（ｃｏｎｔｅｘｔ）を有していないため、端末のＲＲＣ連結再設定要請を受諾することができず、したがって、ＲＲＣ連結再設定手順は失敗するようになる。
【００６１】
以下では、このような３ＧＰＰ  ＬＴＥシステムにおける品質測定手順について説明する。
【００６２】
図７は、３ＧＰＰ  ＬＴＥシステムにおいて端末が測定を行ってネットワークに報告する手順を説明するための図である。
【００６３】
まず、端末は、基地局から測定設定（ｍｅａｓｕｒｅｍｅｎｔｃｏｎｆｉｇｕｒａｔｉｏｎ）情報を受信することができる（Ｓ７１０）。以下では、このような測定設定情報を含むメッセージを測定設定メッセージという。端末は、測定設定情報に基づいて測定を行うことができる（Ｓ７２０）。端末は、測定結果が測定設定情報内の報告条件を満たすと、測定結果を基地局に報告することができる（Ｓ７３０）。以下において、測定結果を含むメッセージを測定報告メッセージという。
【００６４】
一方、基地局から受信される測定設定メッセージは、次のような構造を有することができる。
【００６５】
【表１】
0006374005.tif 000002
前記表１に例示された測定設定メッセージ内の測定設定情報について説明すれば、次のとおりである。
【００６６】
（１）測定対象（Ｍｅａｓｕｒｅｍｅｎｔ  ｏｂｊｅｃｔ）情報：端末が測定を行う対象に関する情報である。測定対象は、セル内測定の対象であるｉｎｔｒａ−ｆｒｅｑｕｅｎｃｙ測定対象、セル間測定の対象であるｉｎｔｅｒ−ｆｒｅｑｕｅｎｃｙ測定対象、及びｉｎｔｅｒ−ＲＡＴ測定の対象であるｉｎｔｅｒ−ＲＡＴ測定対象のうち、少なくともいずれか１つを含む。例えば、ｉｎｔｒａ−ｆｒｅｑｕｅｎｃｙ測定対象は、サービングセルと同じ周波数バンドを有する周辺セルを指示し、ｉｎｔｅｒ−ｆｒｅｑｕｅｎｃｙ測定対象は、サービングセルと異なる周波数バンドを有する周辺セルを指示し、ｉｎｔｅｒ−ＲＡＴ測定対象は、サービングセルのＲＡＴと異なるＲＡＴの周辺セルを指示することができる。
【００６７】
（２）報告設定（Ｒｅｐｏｒｔｉｎｇ  ｃｏｎｆｉｇｕｒａｔｉｏｎ）情報：端末が測定結果をいつ報告するかに関する報告条件及び報告タイプ（ｔｙｐｅ）に関する情報である。報告条件は、測定結果の報告が誘発（ｔｒｉｇｇｅｒ）されるイベントや周期に関する情報を含むことができる。報告タイプは、測定結果をどのようなタイプで構成するかに関する情報である。
【００６８】
（３）測定識別子（Ｍｅａｓｕｒｅｍｅｎｔ  ｉｄｅｎｔｉｔｙ）情報：測定対象と報告設定を関連させて、端末がある測定対象に対していつ、どのようなタイプで報告するかを決定させる測定識別子に関する情報である。測定識別子情報は、測定報告メッセージに含まれて、測定結果がある測定対象に関するものであり、測定報告がどのような報告条件で発生したかを表すことができる。
【００６９】
（４）量的設定（Ｑｕａｎｔｉｔｙ  ｃｏｎｆｉｇｕｒａｔｉｏｎ）情報：測定単位、報告単位及び／又は測定結果値のフィルタリングを設定するためのパラメータに関する情報である。
【００７０】
（５）測定ギャップ（Ｍｅａｓｕｒｅｍｅｎｔ  ｇａｐ）情報：下向きリンク伝送または上向きリンク伝送がスケジューリングされず、端末がサービングセルとのデータ伝送に対する考慮無しで単に測定をするのに使用され得る区間である測定ギャップに関する情報である。
【００７１】
端末は、測定手順を行うために、測定対象リスト、測定報告設定リスト、及び測定識別子リストを有していることができる。
【００７２】
３ＧＰＰ  ＬＴＥにおいて基地局は、端末に１つの周波数バンドに対して１つの測定対象のみを設定できる。３ＧＰＰ  ＴＳ  ３６．３３１  Ｖ８．５．０（２００９−０３）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ８）」の５．５．４節によれば、次の表のような測定報告が誘発されるイベントが定義されている。
【００７３】
【表２】
0006374005.tif 000003
前記表２を参照すれば、例えば、イベントＡ１は、サービングセルがしきい値よりチャネル状態が良いイベント、イベントＡ２は、サービングセルがしきい値よりチャネル状態が悪いイベント、イベントＡ３は、隣接セルがサービングセルよりオフセット値以上にチャネル状態が良いイベントである。さらに他の例として、イベントＡ４は、隣接セルがしきい値より良いチャネル状態を表すイベントであることが分かる。イベントＡ５は、サービングセルがしきい値１よりチャネル状態が悪く、隣接セルがしきい値２よりチャネル状態が良いイベントである。
【００７４】
端末の測定結果がこのように設定されたイベント（品質測定報告基準）を満たすと、端末は、測定報告メッセージを基地局に伝送する。
【００７５】
図８は、端末に設定された測定設定の一例を示す。
【００７６】
図８の例において、まず、測定識別子１（Ｍｅａｓｕｒｅｍｅｎｔ  ｉｄｅｎｔｙ  １）は、ｉｎｔｒａ−ｆｒｅｑｕｅｎｃｙ測定対象と報告設定１（Ｒｅｐｏｒｔｉｎｇ  ｃｏｎｆｉｇｕｒａｔｉｏｎ  １）とを連結している。この場合、端末は、ｉｎｔｒａ−ｆｒｅｑｕｅｎｃｙ測定を行い、報告設定１が測定結果報告の基準及び報告タイプを決定するのに使用される。
【００７７】
測定識別子２は、測定識別子１と同様に、ｉｎｔｒａ−ｆｒｅｑｕｅｎｃｙ測定対象と連結されているが、ｉｎｔｒａ−ｆｒｅｑｕｅｎｃｙ測定対象を報告設定２に連結している。端末は、ｉｎｔｒａ−ｆｒｅｑｕｅｎｃｙ測定を行い、報告設定２が測定結果報告の基準及び報告タイプを決定するのに使用される。
【００７８】
測定識別子１と測定識別子２により、端末は、ｉｎｔｒａ−ｆｒｅｑｕｅｎｃｙ測定対象に対する測定結果が報告設定１及び報告設定２のうち、いずれか１つを満たしても測定結果をネットワークに伝送することができる。
【００７９】
測定識別子３は、ｉｎｔｅｒ−ｆｒｅｑｕｅｎｃｙ測定対象１と報告設定３とを連結している。端末は、ｉｎｔｅｒ−ｆｒｅｑｕｅｎｃｙ測定対象１に対する測定結果が報告設定１に含まれた報告条件を満たすと、測定結果をネットワークに報告することができる。
【００８０】
測定識別子４は、ｉｎｔｅｒ−ｆｒｅｑｕｅｎｃｙ測定対象２と報告設定２とを連結している。端末は、ｉｎｔｅｒ−ｆｒｅｑｕｅｎｃｙ測定対象２に対する測定結果が報告設定２に含まれた報告条件を満たすと、測定結果をネットワークに報告することができる。
【００８１】
測定識別子は、測定対象と報告設定とを連結しているが、各報告設定は、測定報告を誘発するイベントを含むことができる。したがって、測定識別子は、測定対象と特定イベントとを連結しているとも表現することができる。このとき、前記特定イベントの満足可否を評価するための測定と前記測定対象とは関連（ａｓｓｏｃｉａｔｅ）されていると表現することができる（または、便宜上、前記特定イベントを前記測定対象に関連された測定であると簡単に表現することもできる）。
【００８２】
一方、測定対象、報告設定及び／又は測定識別子は、追加、変更及び／又は削除が可能である。これは、基地局が端末に新しい測定設定メッセージを送るか、測定設定変更メッセージを送ることにより指示することができる。
【００８３】
図９は、測定識別子を削除する例を示す。
【００８４】
図９において「ＮＷ  ｃｏｍｍａｎｄ」は、測定識別子２を削除することを指示する測定設定メッセージまたは測定設定変更メッセージでありうる。測定識別子２が削除されれば、測定識別子２と関連された測定対象に対する測定が中断され、測定報告も伝送されない。ただし、削除された測定識別子と関連された測定対象や報告設定は変更されないことがある。
【００８５】
図１０は、測定対象を削除する例を示す。
【００８６】
図１０において「ＮＷ  ｃｏｍｍａｎｄ」は、ｉｎｔｅｒ−ｆｒｅｑｕｅｎｃｙ測定対象１の除去を指示する測定設定メッセージまたは測定設定変更メッセージでありうる。ｉｎｔｅｒ−ｆｒｅｑｕｅｃｎｙ測定対象１が削除されれば、端末は、関連された測定識別子３も削除することができる。これにより、ｉｎｔｅｒ−ｆｒｅｑｕｅｎｃｙ測定対象１に対する測定が中断され、測定報告も伝送されないことがある。しかし、削除されたｉｎｔｅｒ−ｆｒｅｑｕｅｎｃｙ測定対象１に関連された報告設定は、変更または削除されれないことがある。
【００８７】
報告設定が除去されれば、端末は、関連された測定識別子も除去する。端末は、関連された測定識別子により関連された測定対象に対する測定及び測定報告を中断する。しかし、削除された報告設定に関連された測定対象は、変更または削除されないことがある。
【００８８】
図１１は、上述した測定動作をまとめて説明するための図である。
【００８９】
端末は、基地局（ネットワーク）から測定設定情報を受信することができる（Ｓ１１０１）。この測定設定情報は、前記表１と関連して上述したように、測定対象（Ｍｅａｓｕｒｅｍｅｎｔ  ｏｂｊｅｃｔ）情報、報告設定（Ｒｅｐｏｒｔｉｎｇ  ｃｏｎｆｉｇｕｒａｔｉｏｎ）情報、測定識別子（Ｍｅａｓｕｒｅｍｅｎｔ  ｉｄｅｎｔｉｔｙ）情報、量的設定（Ｑｕａｎｔｉｔｙ  ｃｏｎｆｉｇｕｒａｔｉｏｎ）情報、及び測定ギャップ（Ｍｅａｓｕｒｅｍｅｎｔ  ｇａｐ）情報を含むことができる。また、測定設定情報は、図９及び図１０と関連して上述したように、特定測定対象及び／又は特定測定識別子の削除／追加等の情報を含むことができる。
【００９０】
表３は、従来の報告設定（ｒｅｐｏｒｔ  ｃｏｎｆｉｇｕｒａｔｉｏｎ）メッセージの一例を示す。
【００９１】
【表３】
0006374005.tif 000004
表３において、「ａ３−Ｏｆｆｓｅｔ／ａ６−Ｏｆｆｓｅｔ」は、イベントＡ３／Ａ６のための測定報告誘発条件でのオフセット値を示す。
【００９２】
「ａＮ−ＴｈｒｅｓｈｏｌｄＭ」は、イベントａＮのための測定報告誘発条件で使用されるしきい値を示す。
【００９３】
「ｅｖｅｎｔＩｄ」は、イベント誘発報告要件に対するＥ−ＵＴＲＡの選択を示す。
【００９４】
「ｍａｘＲｅｐｏｒｔＣｅｌｌｓ」は、測定報告に含まれたセル等の最大個数（サービングセルは除外）を示す。
【００９５】
「ｒｅｐｏｒｔＡｍｏｕｎｔ」は、ｔｒｉｇｇｅｒＴｙｐｅ  ｐｅｒｉｏｄｉｃａｌのみならず、ｔｒｉｇｇｅｒＴｙｐｅに適用され得る測定報告等の個数を示す。
【００９６】
ｒｅｐｏｒｔＯｎＬｅａｖｅ／ａ６−ｒｅｐｏｒｔＯｎＬｅａｖｅは、ｃｅｌｌｓＴｒｉｇｇｅｒｅｄＬｉｓｔで１つのセルに対して離れる条件（ｌｅａｖｉｎｇ  ｃｏｎｄｉｔｉｏｎ）を満たすとき、測定報告過程を始めなければならないか否かを指示する。
【００９７】
ｒｅｐｏｒｔＱｕａｎｔｉｔｙは、測定報告に含まれなければならない量を示す。
【００９８】
ｔｉｍｅＴｏＴｒｉｇｇｅｒは、測定報告を誘発するために、イベントが特定条件を満たさなければならない時間を示す。
【００９９】
ｔｒｉｇｇｅｒＱｕａｔｉｔｙは、イベントを誘発する条件を評価するのに使用される量を示す。
【０１００】
端末は、このように受信された測定設定情報に応じて品質測定を行うことができる（Ｓ１１０２）。これに基づいて端末は、品質測定結果値が品質報告基準に符合するか否かを判定する測定結果評価手順を行うことができる（Ｓ１１０３）。このとき、評価基準は、前記表２に示したような方式が利用され得る。もし、測定結果が報告基準を満たす場合（Ｓ１１０４）、端末は、測定結果を含む測定報告情報を構成し（Ｓ１１０５）、これを基地局（ネットワーク）に伝送することができる（Ｓ１１０６）。３ＧＰＰ  ＬＴＥシステムに適用される場合に利用され得る測定報告メッセージの構造の一例は、次のとおりである。
【０１０１】
【表４】
0006374005.tif 000005
前記表４に例示された測定報告メッセージに含まれる情報としては、次のような情報がありうる。
【０１０２】
測定識別子（ｍｅａｓＩｄ）：報告基準が満たされた報告設定に関連された測定識別子である。ネットワークは、この測定識別子を介して端末から受信した測定報告がどのような基準により伝送された測定報告であるかが分かる。
【０１０３】
測定されたサービングセルの品質値（ｍｅａｓＲｅｓｕｌｔＳｅｒｖＣｅｌｌ）：端末が測定したサービングセルの品質値である。例えば、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）を含むことができる。
【０１０４】
測定された隣接セルの情報（ｍｅａｓＲｅｓｕｌｔＮｅｉｇｈＣｅｌｌｓ）：端末が測定した隣接セルの測定識別子であって、下記の内容が含まれ得る。
【０１０５】
隣接セル識別子（ｐｈｙｓＣｅｌｌＩｄ）：一般的に報告基準を満たす隣接セルの物理的セル識別子（例えば、ＰＣＩ  ｆｏｒ  Ｅ−ＵＴＲＡＮ）である。
【０１０６】
隣接セルの品質値（ｍｅａｓＲｅｓｕｌｔ）：一般的に報告基準を満す隣接セルの品質値（例えば、ＲＳＲＰ、ＲＳＲＱ）である。
【０１０７】
測定報告メッセージは、上位階層信号、例えば、ＲＲＣメッセージ形態で伝送されることができる。
【０１０８】
上述したような例にしたがう場合、端末は、効率的にサービングセル及び／又は隣接セルの品質測定を行い、これを基地局に報告することにより、端末の移動性が保障され得る。ただし、本発明では、このような測定動作に追加的に、端末にセカンダリセルが追加される場合、効率的な測定報告動作を提案しようとする。このために、まず、端末が複数のサービングセルを有する場合の一例として、３ＧＰＰ  ＬＴＥ−Ａ標準で議論されている搬送波集成（ｃａｒｒｉｅｒ  ａｇｇｒｅｇａｔｉｏｎ：ＣＡ）技術について説明する。
【０１０９】
図１２は、３ＧＰＰ  ＬＴＥ−Ａシステムに適用される搬送波集成技術について説明するための図である。
【０１１０】
ＬＴＥ−Ａ技術標準は、ＩＴＵ（ＩｎｔｅｒｎａｔｉｏｎａｌＴｅｌｅｃｏｍｍｕｎｉｃａｔｉｏｎ  Ｕｎｉｏｎ）のＩＭＴ−Ａｄｖａｎｃｅｄ候補技術であって、ＩＴＵのＩＭＴ−Ａｄｖａｎｃｅｄ技術要求事項に符合するように設計されている。これにより、ＬＴＥ−Ａでは、ＩＴＵの要求事項を満たすために、既存のＬＴＥシステムに対して帯域幅を拡張する議論が進行中である。ＬＴＥ−Ａシステムにおいて帯域幅を拡張するために、既存のＬＴＥシステムで有することができる搬送波（Ｃａｒｒｉｅｒ）をコンポーネント・キャリア（Ｃｏｍｐｏｎｅｎｔ  Ｃａｒｒｉｅｒ）（以下、ＣＣと称する）と定義し、このようなＣＣを最大５個まで束ねて使用できるように議論されている。ＣＣは、ＬＴＥシステムのように、最大２０ＭＨｚの帯域幅を有することができるので、最大１００ＭＨｚまで帯域幅を拡張できる概念である。このように、複数個のＣＣを束ねて使用する技術は、搬送波集成（Ｃａｒｒｉｅｒ  Ａｇｇｒｅｇａｔｉｏｎ：ＣＡ）と呼ぶ。
【０１１１】
図１３は、搬送波集成技術が適用される場合、端末の立場でセルに対する定義を説明するための図である。
【０１１２】
図１２と関連して上述したように、ＣＡが適用される場合、下向きリンク（ＤＬ）及び上向きリンク（ＵＬ）に対して各々複数のＣＣを含むことができる。このようなシステムにおいて、端末の立場でＤＬ  ＣＣとＵＬ  ＣＣとの組み合わせ（図１３のセル０）、またはＤＬ  ＣＣのみ（図１３のセル１）で各々セルとみなされることができる。図１３に示されたように、ＤＬ  ＣＣとＵＬ  ＣＣとの間の連結関係は、ＤＬ資源を介して伝送されるシステム情報を介して指示され得る。すなわち、ＣＡが適用される移動通信システムのシステム情報は、上述したシステム情報に追加的に、ＵＬ  ＣＣとＤＬ  ＣＣとの間の連結関係に関する情報を含み、図１３は、これをＳＩＢ２連結として図示している。
【０１１３】
一方、ＬＴＥ−Ａシステムでは、全ての制御シグナリングが伝送されるＣＣを他のＣＣと区分して、ｐｒｉｍａｒｙ  ＣＣと呼ぶ概念を提案している。各端末当たり、ＵＬ  Ｐｒｉｍａｒｙ  ＣＣとＤＬ  Ｐｒｉｍａｒｙ  ＣＣとが構成され、このように、ＵＬ制御情報伝送に用いられるＵＬ  Ｐｒｉｍａｒｙ  ＣＣと、ＤＬ制御情報伝送に用いられるＤＬ  Ｐｒｉｍａｒｙ  ＣＣとの組み合わせをＰｒｉｍａｒｙ  ＣｅｌｌまたはＰＣｅｌｌと呼ぶことができる。上述したようなＰｒｉｍａｒｙ  ＣｅｌｌまたはＰＣｅｌｌ以外に、端末に構成されたセルは、Ｓｅｃｏｎｄａｒｙ  ＣｅｌｌまたはＳＣｅｌｌと呼ばれることができる。
【０１１４】
または、プライマリセルは、プライマリ周波数で動作するセルであり、端末が最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程（ｃｏｎｎｅｃｔｉｏｎ  ｒｅ−ｅｓｔａｂｌｉｓｈｍｅｎｔ  ｐｒｏｃｅｄｕｒｅ）を始めるセルに定義され得る。または、ハンドオーバー過程でプライマリセルとして指示されたセルとして定義され得る。
【０１１５】
セカンダリセルは、セカンダリ周波数で動作するセルであり、プライマリセル以外に、追加的な無線資源を提供するために使用されるセルとして定義され得る。ＲＲＣ連結確立後にセカンダリセルが設定され得る。
【０１１６】
これから、本発明について説明する。
【０１１７】
現在標準規定によれば、端末は、イベントによって誘発される測定報告と関連して次のように動作する。
【０１１８】
１．誘発段階（ｔｒｉｇｇｅｒｉｎｇ  ｐｈａｓｅ）
１）端末は、あるイベントに対してあるセルが適用可能であるか（ａｐｐｌｉｃａｂｌｅ）判断する。例えば、イベントＡ１、Ａ２に対しては、サービングセルのみ適用可能であり、イベントＡ４に対しては、隣接セルのみ適用可能である。すなわち、イベントＡ１、Ａ２に対しては、サービングセルが適用可能なセル（ａｐｐｌｉｃａｂｌｅ  ｃｅｌｌ）であり、イベントＡ４に対しては、隣接セルが適用可能なセルである。
【０１１９】
ただし、イベントＡ３、Ａ５に対しては、セカンダリセルが例外的に隣接セルとしてみなされる。他の場合に対しては、セカンダリセルは、サービングセルとしてみなされる。すなわち、イベントＡ３、Ａ５に対しては、セカンダリセルに対する例外的な規則が適用される。
【０１２０】
２）端末は、適用可能なセル（等）に対して当該イベント（ｃｏｎｃｅｒｎｅｄ  ｅｖｅｎｔ）の満足可否を評価（ｅｖａｌｕａｔｅ）する。
【０１２１】
３）もし、適用可能なセルが当該イベントを満たすと、そのセルは、誘発されたセルリスト（「ｃｅｌｌｓＴｒｉｇｇｅｒｅｄＬｉｓｔ」、以下、同様）に含まれる。誘発されたセルリストは、特定イベントを満たすセルを含むリストでありうる。誘発されたセルリストは、各イベントに対する適用可能なセルの中で各イベントを満たすセルを含むリストでありうる。誘発されたセルリストは、各イベント別に構成されるか、または複数のイベントに対して構成されることができる。誘発されたセルリストは、セルの物理的セルＩＤ（ｐｈｙｓｉｃａｌ  ｃｅｌｌ  ｉｄｅｎｔｉｔｙ）を含むことができる。
【０１２２】
２．報告段階（Ｒｅｐｏｒｔｉｎｇ  ｐｈａｓｅ）
４）端末は、「ｍｅａｓＲｅｓｕｌｔＰｃｅｌｌ」及び「ｍｅａｓＲｅｓｕｌｔＳｅｒｖＦｒｅｑＬｉｓｔ」を構成する。報告しなければならない適用可能な隣接セルがある場合にのみ、端末は、「ｍｅａｓＲｅｓｕｌｔＮｅｉｇｈＣｅｌｌｓ」を構成する。「ｃｅｌｌｓＴｒｉｇｇｅｒｅｄＬｉｓｔ」のエントリの中で当該イベントに対して報告しなければならない適用可能な隣接セルは、「ｍｅａｓＲｅｓｕｌｔＮｅｉｇｈＣｅｌｌｓ」に含まれることができる。
【０１２３】
次の表は、端末が報告する測定報告メッセージの具体的な例である。
【０１２４】
【表５】
0006374005.tif 000006
一方、現在標準規定によって端末が動作する場合、セカンダリセルに関連して次のように動作することができる。
【０１２５】
１．イベントＡ１、Ａ２
１）端末は、セカンダリセルをサービングセルとしてみなす。
【０１２６】
２）すなわち、サービングセルとしてみなされたセカンダリセルは、イベントＡ１、Ａ２の評価において適用可能なものとみなされる。
【０１２７】
３）もし、セカンダリセルがイベントＡ１、Ａ２を満たすと、端末は、このセカンダリセルを「ｃｅｌｌｓＴｒｉｇｇｅｒｅｄＬｉｓｔ」に含む。
【０１２８】
４）しかし、セカンダリセルは、サービングセルとしてみなしたので、「ｃｅｌｌｓＴｒｉｇｇｅｒｅｄＬｉｓｔ」には報告しなければならない適用可能な隣接セルがないため、端末は、「ｍｅａｓＲｅｓｕｌｔＮｅｉｇｈＣｅｌｌｓ」を構成しない。すなわち、「ｍｅａｓＲｅｓｕｌｔＮｅｉｇｈＣｅｌｌｓ」は、測定報告に含まれない。端末は、「ｍｅａｓＲｅｓｕｌｔＰＣｅｌ」と「ｍｅａｓＲｅｓｕｌｔＳｅｒｖＦｒｅｑＬｉｓｔ」のみを含む測定報告を伝送する。
【０１２９】
２．イベントＡ３
１）端末は、セカンダリセルを隣接セルとしてみなす。
【０１３０】
２）すなわち、セカンダリセルは、イベントＡ３の評価において適用可能なものとみなされる。
【０１３１】
３）もし、セカンダリセルがイベントＡ３を満たすと、端末は、このセカンダリセルを「ｃｅｌｌｓＴｒｉｇｇｅｒｅｄＬｉｓｔ」に含む。
【０１３２】
４）前記セカンダリセルを含む「ｃｅｌｌｓＴｒｉｇｇｅｒｅｄＬｉｓｔ」は、測定報告の「ｍｅａｓＲｅｓｕｌｔＮｅｉｇｈＣｅｌｌｓ」に含まれる。端末は、「ｍｅａｓＲｅｓｕｌｔＰＣｅｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」を含む測定報告を伝送する。
【０１３３】
３．イベントＡ４
１）端末は、セカンダリセルをサービングセルとしてみなす。
【０１３４】
２）すなわち、セカンダリセルは、イベントＡ４の評価において適用可能なものとみなされない。
【０１３５】
３）したがって、セカンダリセルは、イベントＡ４の満足による測定報告を誘発しない。
【０１３６】
４）セカンダリセルによって誘発される測定報告はない。
【０１３７】
４．イベントＡ５
１）端末は、セカンダリセルを隣接セルとしてみなす。
【０１３８】
２）セカンダリセルは、イベントＡ５の評価において適用可能なものとみなされる。
【０１３９】
３）もし、セカンダリセルがイベントＡ５を満たすと、端末は、このセカンダリセルを「ｃｅｌｌｓＴｒｉｇｇｅｒｅｄＬｉｓｔ」に含む。
【０１４０】
４）前記セカンダリセルを含む「ｃｅｌｌｓＴｒｉｇｇｅｒｅｄＬｉｓｔ」は、測定報告の「ｍｅａｓＲｅｓｕｌｔＮｅｉｇｈＣｅｌｌｓ」に含まれる。端末は、「ｍｅａｓＲｅｓｕｌｔＰＣｅｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」を含む測定報告を伝送する。
【０１４１】
５．イベントＡ６
１）端末は、セカンダリセルをサービングセルとしてみなす。
【０１４２】
２）セカンダリセルは、イベントＡ６の評価において適用可能なものとみなされない。
【０１４３】
３）したがって、セカンダリセルは、イベントＡ６を誘発せず、セカンダリセルは、「ｃｅｌｌｓＴｒｉｇｇｅｒｅｄＬｉｓｔ」に含まれることができない。その結果、セカンダリセルは、「ｍｅａｓＲｅｓｕｌｔＮｅｉｇｈＣｅｌｌｓ」にも含まれることができない。
【０１４４】
４）セカンダリセルによって誘発される測定報告はない。
【０１４５】
前述したように、現在標準規格では、測定報告がイベント誘発（満足）可否にしたがうが、セカンダリセルが「ｍｅａｓＲｅｓｕｌｔＮｅｉｇｈＣｅｌｌｓ」に含まれるか否かが、セカンダリセルをサービングセルとしてみなすか、それとも、隣接セルとしてみなすかによって変わる。したがって、ネットワークが無線資源管理（ｒａｄｉｏ  ｒｅｓｏｕｒｃｅ  ｍａｎａｇｅｍｅｎｔ：ＲＲＭ）のために、「ｍｅａｓＲｅｓｕｌｔＮｅｉｇｈＣｅｌｌｓ」の内容を参照するように実現される場合、曖昧性が発生できる。
【０１４６】
図１４は、セカンダリセルが「ｍｅａｓＲｅｓｕｌｔＮｅｉｇｈＣｅｌｌｓ」に含まれる場合を例示する。
【０１４７】
図１４に示すように、端末には、ｆ１周波数帯域のセル１がプライマリセルとして設定されていることができる。そして、測定設定メッセージによってｆ３周波数帯域のセル２、３、４がイベントＡ４の測定対象隣接セルとして設定されたと仮定する。すなわち、イベントＡ４に対してセル２、３、４が適用可能なセルであると仮定する。
【０１４８】
セル２に対してイベントＡ４を満たす場合、端末は、セル２を「ｃｅｌｌｓＴｒｉｇｇｅｒｅｄＬｉｓｔ」に含む。すると、「ｃｅｌｌｓＴｒｉｇｇｅｒｅｄＬｉｓｔ」が空いておらず、隣接セルであるセル２があるので、「ｃｅｌｌｓＴｒｉｇｇｅｒｅｄＬｉｓｔ」に含まれたセルを「ｍｅａｓＲｅｓｕｌｔＮｅｉｇｈＣｅｌｌｓ」に含んで伝送する。
【０１４９】
一方、端末が「ｍｅａｓＲｅｓｕｌｔＮｅｉｇｈＣｅｌｌｓ」を伝送した後、セル２は、前記端末に対するセカンダリセルとして追加されることができる。従来の標準規格によれば、隣接セルであるセル２がセカンダリセルとして追加された場合、「ｃｅｌｌｓＴｒｉｇｇｅｒｅｄＬｉｓｔ」をどのように変更するかに対して規定しなかった。また、従来の標準規格によれば「ｃｅｌｌｓＴｒｉｇｇｅｒｅｄＬｉｓｔ」が空いていなければ、「ｃｅｌｌｓＴｒｉｇｇｅｒｅｄＬｉｓｔ」に含まれたセルは、「ｍｅａｓＲｅｓｕｌｔＮｅｉｇｈＣｅｌｌｓ」に含まれて伝送される。セル２は、セカンダリセルとして追加され、それ以上隣接セルでないにもかかわらず、「ｃｅｌｌｓＴｒｉｇｇｅｒｅｄＬｉｓｔ」にセル２が含まれているので、端末は、セル２を再度「ｍｅａｓＲｅｓｕｌｔＮｅｉｇｈＣｅｌｌｓ」に含んで伝送するようになるという問題が生じ得る。これは、端末の不要な電力浪費及び基地局の無線資源管理に曖昧性を発生させるという問題がある。
【０１５０】
以下では、このような問題を解決できる適用例を説明する。以下の適用例は、前述した「１．イベントＡ１、Ａ２」ないし「５．イベントＡ６」のような端末の従来動作に追加／変更されて適用され得る。
【０１５１】
端末は、１つのセル、例えば、プライマリセルのみ設定された状態では、前述した従来動作にしたがい、セカンダリセルが追加された場合には、以下の適用例１または２のように動作することができる。すなわち、搬送波集成を支援する端末にプライマリセルのみ設定された状況で、前記プライマリセルを除外した他のセルが前記端末のセカンダリセルとして追加される場合に、以下の適用例１または２が適用され得る。
【０１５２】
［適用例１］
端末は、特定イベントに対してセカンダリセルをサービングセルとしてみなすことができる。この場合、セカンダリセルは、前記特定イベントの評価において適用可能でないセルとしてみなされることができる。
【０１５３】
例えば、端末は、プライマリセルのみ設定された状態で、隣接セルであるセル２が特定イベントを満たして測定報告を伝送することができる。この場合に、端末は、従来動作にしたがうことができる。
【０１５４】
もし、前記セル２がセカンダリセルとして追加されたとすれば、その後、端末は、前記特定イベントに対して前記セル２をサービングセルとしてみなし、前記イベントの評価において適用可能でないものとみなす。前記特定イベントの適用可能なセルが隣接セルであれば、セル２は、もう前記特定イベントに対して適用可能でないセルとしてみなされる。
【０１５５】
端末は、セカンダリセルとして追加されたセル２が関連された測定に適用可能であるかを判断する。前記例において、セカンダリセルとして追加されたセル２は、前記特定イベントに対して適用可能でないので、端末は、セカンダリセルであるセル２を「ｃｅｌｌｓＴｒｉｇｇｅｒｅｄＬｉｓｔ」から除去する。
【０１５６】
前記セカンダリセルが除去された「ｃｅｌｌｓＴｒｉｇｇｅｒｅｄＬｉｓｔ」でエントリ（ｅｎｔｒｙ）が空いていなければ、前記セカンダリセルが除去された「ｃｅｌｌｓＴｒｉｇｇｅｒｅｄＬｉｓｔ」を「ｍｅａｓＲｅｓｕｌｔＮｅｉｇｈＣｅｌｌｓ」に含ませる。もし、前記セカンダリセルが除去された「ｃｅｌｌｓＴｒｉｇｇｅｒｅｄＬｉｓｔ」のエントリが空いて（ｅｍｐｔｙ）いると、端末は、測定報告メッセージに「ｍｅａｓＲｅｓｕｌｔＮｅｉｇｈＣｅｌｌｓ」を含ませない。もし、前記セカンダリセルが除去された「ｃｅｌｌｓＴｒｉｇｇｅｒｅｄＬｉｓｔ」のエントリが空いて（ｅｍｐｔｙ）いると、すなわち、「ｃｅｌｌｓＴｒｉｇｇｅｒｅｄＬｉｓｔ」が空いていると、端末は、関連された測定に関する後続測定報告の伝送を中断することができる。
【０１５７】
端末は、「ｍｅａｓＲｅｓｕｌｔＰＣｅｌｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」（可能な場合にのみ）を含む測定報告メッセージを伝送する。
【０１５８】
［適用例２］
端末は、特定イベントの評価においては、セカンダリセルを隣接セルとしてみなすことができる。前記セカンダリセルは、前記特定イベントの評価に対しては、適用可能なものとみなされることができる。
【０１５９】
もし、セカンダリセルが前記特定イベントを誘発すれば、端末は、前記セカンダリセルを「ｃｅｌｌｓＴｒｉｇｇｅｒｅｄＬｉｓｔ」に含ませる。
【０１６０】
前記「ｃｅｌｌｓＴｒｉｇｇｅｒｅｄＬｉｓｔ」を測定報告メッセージの「ｍｅａｓＲｅｓｕｌｔＮｅｉｇｈＣｅｌｌｓ」に含ませるとき、端末は、セカンダリセルを除外する。端末は、「ｍｅａｓＲｅｓｕｌｔＰＣｅｌｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」（空いていなければ）を含む測定報告を伝送する。このとき、前記適用例１との相違は、前記セカンダリセルを前記特定イベントの評価では隣接セルとしてみなすが、測定報告メッセージに含まれるフィールドを構成するにあっては、サービングセルとしてみなすことができるという点である。したがって、測定報告メッセージを構成するフィールドでは、前記セカンダリセルを除外することができる。
【０１６１】
図１５、図１６を参照して適用例１をより詳細に説明する。
【０１６２】
図１５は、搬送波集成を支援する端末の動作方法である。
【０１６３】
図１５に示すように、端末は、基地局に測定報告を行う（Ｓ１５００）。この測定報告には、隣接セルであるセル２がイベントＡ４を満たして「ｃｅｌｌｓＴｒｉｇｇｅｒｅｄＬｉｓｔ」にセル２が含まれており、その結果、「ｍｅａｓＲｅｓｕｌｔＮｅｉｇｈＣｅｌｌｓ」にセル２が含まれると仮定する。すなわち、セル２が特定イベントを満たして誘発されたセルリスト（「ｃｅｌｌｓＴｒｉｇｇｅｒｅｄＬｉｓｔ」）に含むステップを経た状態であると仮定する。
【０１６４】
基地局は、測定報告を参照して、前記端末に追加されるセカンダリセルに対する設定情報（「ｓＣｅｌｌＴｏＡｄｄＭｏｄＬｉｓｔ」）を伝送する（Ｓ１５０１）。
【０１６５】
端末は、セカンダリセルを追加する（Ｓ１５０２）。端末は、前記セカンダリセルに対する設定情報に基づいて特定セルをセカンダリセルとして追加することができる。例えば、セカンダリセルとして前記セル２が追加されたと仮定する。このとき、セカンダリセルであるセル２は、サービングセルとしてみなされ、セカンダリセルは、関連された測定イベント（Ａ４）に対して適用可能でなくなる。
【０１６６】
例えば、測定識別子によって隣接セルであるセル２とイベントＡ４が指示される場合、前記セル２に対してイベントＡ４は関連された測定となる。前述したように、イベントＡ４に適用可能なセルは、隣接セルであるためである。ところが、セル２が前記端末に対してセカンダリセルとして追加されてサービングセルとしてみなされれば、イベントＡ４に対してそれ以上適用可能でなくなるものである。
【０１６７】
端末は、図１６において説明するＳ１６０１〜Ｓ１６０３ステップを行う。
【０１６８】
図１６は、図１５のＳ１６０１〜Ｓ１６０３ステップを説明する。
【０１６９】
図１６に示すように、端末は、セカンダリセルが関連された測定（ａｓｓｏｃｉａｔｅｄ  ｍｅａｓｕｒｅｍｅｎｔ）に対して適用可能であるか決定する（Ｓ１６０１）。図１５の例では、セカンダリセルとしてセル２が追加される場合を仮定したが、セル２が隣接セルであり、イベントＡ４と関連されていると、前記セル２は、関連された測定に対して適用可能である。それに対し、セル２がサービングセルであり、イベントＡ４と関連されていると、前記セル２は、関連された測定に対して適用可能でない。適用例１によれば、セカンダリセルとして追加されたセル２は、イベントＡ４と関連してサービングセルとしてみなされるので、関連された測定に対して適用可能でない。
【０１７０】
端末は、前記セカンダリセルが関連された測定に対して適用可能でなければ、前記セカンダリセルが「ｃｅｌｌｓＴｒｉｇｇｅｒｅｄＬｉｓｔ」に含まれているか否かを決定する（Ｓ１６０２）。
【０１７１】
端末は、前記セカンダリセルが「ｃｅｌｌｓＴｒｉｇｇｅｒｅｄＬｉｓｔ」に含まれていると、前記セカンダリセルを前記「ｃｅｌｌｓＴｒｉｇｇｅｒｅｄＬｉｓｔ」から除去（ｒｅｍｏｖｅ）する（Ｓ１６０３）。
【０１７２】
すなわち、本発明によれば、端末は、測定報告で関連された測定に適用可能でないセカンダリセルを除外する。このために、関連された測定に適用可能でないセカンダリセルを「ｃｅｌｌｓＴｒｉｇｇｅｒｅｄＬｉｓｔ」から除去するものである。
【０１７３】
図１５及び図１６の例において、プライマリセルのみ設定された状態では、従来の端末動作によってセル２は、特定イベント（例えば、Ａ４）に対する評価では、隣接セルとしてみなされ、測定報告（Ｓ１５００）に含まれて基地局に伝送された。しかし、セル２がセカンダリセルとして追加された後では、ｉ）適用例１によって前記特定イベントに対する評価においてセル２がサービングセルとしてみなされるか、ｉｉ）適用例２によって測定報告メッセージに含まれるフィールドを構成するにあっては、セル２がサービングセルとしてみなされた。
【０１７４】
その結果、セル２は、前記特定イベント（Ａ４）に対して定義された測定報告メッセージに含まれるフィールド（「ｃｅｌｌｓＴｒｉｇｇｅｒｅｄＬｉｓｔ」）からは除去される。
【０１７５】
前記適用例１、２は、特定条件下でセカンダリセルを「ｃｅｌｌＴｒｉｇｇｅｒｅｄＬｉｓｔ」から除去した。それにより、セカンダリセルが「ｍｅａｓＲｅｓｕｌｔＮｅｉｇｈＣｅｌｌｓ」から除外された。以下では、「ｍｅａｓＲｅｓｕｌｔＮｅｉｇｈＣｅｌｌｓ」にセカンダリセルを必ず含む適用例について説明する。
【０１７６】
［適用例３］
端末は、特定イベントの評価においては、セカンダリセルをサービングセルとしてみなし、測定報告に含まれるフィールドを構成するにあっては、前記セカンダリセルを隣接セルとしてみなすことができる。
【０１７７】
すなわち、セカンダリセルは、特定イベント（Ａ１、Ａ２）の評価において適用可能なものとみなされることができる。もし、セカンダリセルが前記特定イベントを誘発すれば、端末は、前記セカンダリセルを「ｃｅｌｌｓＴｒｉｇｇｅｒｅｄＬｉｓｔ」に含ませる。
【０１７８】
前記セカンダリセルを含む「ｃｅｌｌｓＴｒｉｇｇｅｒｅｄＬｉｓｔ」は、測定報告の「ｍｅａｓＲｅｓｕｌｔＮｅｉｇｈＣｅｌｌｓ」に含まれる。端末は、「ｍｅａｓＲｅｓｕｌｔＰＣｅｌｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」を含む測定報告を伝送する。
【０１７９】
［適用例４］
端末は、特定イベントの評価においては、セカンダリセルをサービングセルとしてみなす。すなわち、セカンダリセルは、特定イベント（Ａ１、Ａ２）の評価において適用可能なものとみなされることができる。もし、セカンダリセルが前記特定イベントを誘発すれば、端末は、前記セカンダリセルを「ｃｅｌｌｓＴｒｉｇｇｅｒｅｄＬｉｓｔ」に含ませる。このとき、前記セカンダリセルは、サービングセルのみならず、隣接セルとしても「ｃｅｌｌｓＴｒｉｇｇｅｒｅｄＬｉｓｔ」に含まれる。
【０１８０】
前記特定イベントに対しては、サービングセルのみならず、隣接セルとしても前記セカンダリセルを含む「ｃｅｌｌｓＴｒｉｇｇｅｒｅｄＬｉｓｔ」が測定報告の「ｍｅａｓＲｅｓｕｌｔＮｅｉｇｈＣｅｌｌｓ」に含まれる。前記特定イベントを除外した他のイベントに対しては、「ｃｅｌｌｓＴｒｉｇｇｅｒｅｄＬｉｓｔ」の隣接セルのみ、「ｍｅａｓＲｅｓｕｌｔＮｅｉｇｈＣｅｌｌｓ」に含まれる。端末は、「ｍｅａｓＲｅｓｕｌｔＰＣｅｌｌ」、「ｍｅａｓＲｅｓｕｌｔＳｅｒｖＦｒｅｑＬｉｓｔ」、及び「ｍｅａｓＲｅｓｕｌｔＮｅｉｇｈＣｅｌｌｓ」を含む測定報告を伝送する。
【０１８１】
図１７は、本発明に係る端末装置及び基地局装置を含む無線通信システムの実施形態の構成を示した図である。
【０１８２】
図１７に示すように、端末（ＵＥ）装置は、各々受信モジュール１１１１、伝送モジュール１１１２、プロセッサ１１１３、及びメモリ１１１４を備えることができる。受信モジュール１１１１は、各種信号、データ、情報等を基地局等から受信することができる。伝送モジュール１１１２は、各種信号、データ、情報等を基地局等に伝送することができる。また、受信モジュール１１１１は、ネットワークから上述したような基準情報を含む測定設定情報を受信することができる。プロセッサ１１１３は、セカンダリセルを追加し、セカンダリセルが関連された測定に対して適用可能であるか決定する。そして、セカンダリセルが誘発されたセルリスト（ｃｅｌｌｓＴｒｉｇｇｅｒｅｄＬｉｓｔ）に含まれているか否かを決定するが、セカンダリセルが前記関連された測定に対して適用可能でなく、前記セカンダリセルが前記誘発されたセルリストに含まれた場合、前記セカンダリセルを前記誘発されたセルリストから除去する。
【０１８３】
一方、基地局（ｅＮＢ）装置は、受信モジュール１１３１、伝送モジュール１１３２、プロセッサ１１３３、及びメモリ１１３４を備えることができる。受信モジュール１１３１は、各種信号、データ、情報等を端末等から受信することができる。伝送モジュール１１３２は、各種信号、データ、情報等を端末等に伝送することができる。
【０１８４】
プロセッサ１１３３は、伝送モジュール１１３２を介してセカンダリセルに対する設定情報を伝送し、受信モジュール１１３１を介して端末から測定報告メッセージを受信することができる。プロセッサ１１３３は、端末から受信された測定報告メッセージを介して当該端末の移動性を管理することができる。プロセッサ１１３３は、その他にも、端末装置が受信した情報、外部に伝送する情報等を演算処理する機能を果たし、メモリ１１３４は、演算処理された情報等を所定時間の間、格納することができ、バッファ（図示せず）などの構成要素に代替できる。
【０１８５】
上述した本発明の実施形態は、種々の手段によって実現されることができる。例えば、本発明の実施形態は、ハードウェア、ファームウエア（ｆｉｒｍｗａｒｅ）、ソフトウェア、またはそれらの結合などにより実現されることができる。
【０１８６】
ハードウェアによる実現の場合、本発明の実施形態による方法は、１つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより実現されることができる。
【図１】
0006374005.tif 000007
【図２】
0006374005.tif 000008
【図３】
0006374005.tif 000009
【図４】
0006374005.tif 000010
【図５】
0006374005.tif 000011
【図６】
0006374005.tif 000012
【図７】
0006374005.tif 000013
【図８】
0006374005.tif 000014
【図９】
0006374005.tif 000015
【図１０】
0006374005.tif 000016
【図１１】
0006374005.tif 000017
【図１２】
0006374005.tif 000018
【図１３】
0006374005.tif 000019
【図１４】
0006374005.tif 000020
【図１５】
0006374005.tif 000021
【図１６】
0006374005.tif 000022
【図１７】
0006374005.tif 000023